Podtech/llm-jp-corpus-v4-ja_patent huggingface dataset:
(57)【要約】      （修正有）【課題】ＰＣＴ加盟国とその他の国への十分な資金供給、公正、平等コンテンツ資金の形成と産業界の発展。【解決手段】各国政府収入（特許権利金）９０％にかかるネットワークなどのネットワークにより、日本国政府とＰＣＴ加盟国と後進国と発展途上国による、平和維持公正平等資金産生送金循環加盟国プロジェクト旅行商品監視システムセンター連動公共不動産商品金融商品全搬及び旅行商品全搬にかかるソフト販売システムネットワークを構築する。【選択図】図１
2016033824.tif 000002
【特許請求の範囲】
【請求項１】
図１と発明の名称にかかる（内容）下記ネットワーク。
図１と発明の名称にかかる（内容）後記及び下記ネットワークを『Ｒ』と簡略記述する。
各国政府収入（特許権利金）９０％にかかる下記ネットワーク。
特願２０１４−２３１０７５（平成２６年１０月２日出願分）
特願２０１４−２３１０７６（平成２６年１０月３日出願分）
特願２０１５−３９３０３（平成２７年２月１０日出願分）
特願２０１５−９６９０３（平成２７年３月２９日出願分）
特願２０１５−１４４３７２（平成２７年６月１２日出願分）
整理番号ＴＫＯ２０１５１６６（平成２７年７月１９日出願分）
整理番号ＴＫＯ２０１５１６７（平成２７年７月２２日出願分）
整理番号ＴＫＯ２０１５１６８（平成２７年７月２８日出願分）
特願２０１５−８７１１７（平成２７年３月１３日出願分）
特願２０１５−８７１１８（平成２７年３月１８日出願分）
特願２０１５−９０８５５（平成２７年３月    日出願分）
整理番号ＴＫＯ２０１５１８１（平成２７年８月１０日出願分）
整理番号ＴＫＯ２０１５１８２（平成２７年８月２５日出願分）
前記『Ｒ』ソフトネットワークを後記記述する。
【発明の詳細な説明】
【技術分野】
【０００１】前記発明の請求項１に連動する公正、平等、送金コントロール資金の発明の名称国プロジェクト要員による旅行商品産生流通価格監視流通プログラム。
【背景技術】
【０００２】ＰＣＴ加盟国、特に後進国と発展途上国の経済発展
【発明を実施する為の形態】
【０００３】図１と請求項１。
【発明の効果】
【０００４】前記発明の請求項１に連動する公正、平等、送金コントロール資金の安全な流通プログラム。
【図面の簡単な説明】
【図１】日本国政府とＰＣＴ加盟国と後進国と発展途上国による、平和維持公正平等資金産生送金循環加盟国プロジェクト旅行商品監視システムセンター
【発明を実施するための形態】
請求項１および図１
【産業上の利用可能性】産業全搬の経済的発展とＰＣＴ加盟国の（と他の国も！）経済的（平和の為）発展。
【符号の説明】Ｕ  日本国政府とＰＣＴ加盟国と後進国と発展途上国による、平和維持公正平等資金産生送金循環加盟国プロジェクト旅行商品監視システムセンター
2016033824.tif 000003
2016033824.tif 000004
2016033824.tif 000005
2016033824.tif 000006
2016033824.tif 000007
2016033824.tif 000008
2016033824.tif 000009
2016033824.tif 000010
2016033824.tif 000011
2016033824.tif 000012
2016033824.tif 000013
2016033824.tif 000014
2016033824.tif 000015
2016033824.tif 000016
2016033824.tif 000017
2016033824.tif 000018
【図１】
2016033824.tif 000019
(57)【要約】      （修正有）【課題】不要になったテッシュの箱にミシン目を設け、蓋付きのゴミ箱を提供する。【解決手段】蓋付きのゴミ箱へと変容させることができるようにテッシュの箱に２分割用ミシン目１、蓋作成用ミシン目２、差し込み口作成用ミシン目３、差し込み片作成用ミシン目４を設ける。【選択図】図１
2016033087.tif 000002
【特許請求の範囲】
【請求項１】
テッシュの箱に、２分割ミシン目（１）、蓋作成用ミシン目（２）、差し込み口作成用ミシン目（３）、差し込み片作成用ミシン目（４）を設けることによって作成される蓋付きのゴミ箱。
【発明の詳細な説明】
【技術分野】
【０００１】  この発明は、テッシュの箱にミシン目をつけることによって作製される蓋付きのゴミ箱に関するものである。
【背景技術】
【０００２】  従来、使用済みのテッシュペーパーを投棄するためにさまざまなゴミ箱が考案されてきた。（特許文献１参照）
また、廃棄を容易にするために本発明と類似の工夫がなされたものもあった。（特許文献２参照）
【先行技術文献】
【特許文献】
【００３】
【特許文献１】  特開２０１２−１４８９０１
【特許文献２】  特開２００８−６８９１２
【発明の概要】
【発明が解決しようとする課題】
【０００４】  これまでのゴミ箱は新たに材料を用意する必要があったが、本発明は使用済みのテッシュの箱のみを使用するものである。また、テッシュの箱の廃棄を容易にするための工夫と異なり、その目的は使用済みのテッシュの収納にある。
【課題を解決するための手段】
【０００５】  蓋付きの箱へと変容させることができるように、テッシュの箱にミシン目を設ける。
本発明は、以上の構成よりなるミシン目付きのテッシュの箱である。
【発明の効果】
【０００６】  蓋付きの箱となっているので、使用したテッシュなどを入れた後、その中身を外から見えなくすることができる。
【図面の簡単な説明】
【０００７】
【図１】  本発明図の斜視図である。
【図２】  本発明図の上部パーツ部である。
【図３】  本発明図の下部パーツ部である。
【発明を実施するための形態】
【０００８】  以下、本発明の実施の形態について説明する。
テッシュの箱に２分割用ミシン目（１）、蓋作成用ミシン目（２）、差し込み口作成用ミシン目（３）、差し込み片作成用ミシン目（４）を設ける。
２分割用ミシン目は、箱の上面（６）、箱の下面（７）および、箱の側面（８）、箱の側面（９）に設ける。
蓋用ミシン目（２）は箱の側面（８）、箱の側面（９）および、箱の上面（６）において、蓋作成用ミシン目（４）の間の部分を除いて設ける。
差し込み口作成用ミシン目（３）は箱の下面（７）に設ける。
本発明は以上のような構造である。
これを使用するときは、ミシン目を切り込み、図２の蓋のついた上部パーツと、図３の下部パーツを作成する。
さらに、上部パーツを差し込み片が下部パーツの差し込み口の側にくるようにして、下部パーツに差し込む。
最後に、差し込み片を差し込み口に入れて完成させる。
【符号の説明】
【０００９】  １  ２分割用ミシン目
２  蓋作成用ミシン目
３  差し込み口作成用ミシン目
４  差し込み片作成用ミシン目
５  既存のミシン目
６  箱の上面
７  箱の下面
８  箱の側面
９  箱の側面
１０  差し込み片
１１  差し込み口
【図１】
2016033087.tif 000003
【図２】
2016033087.tif 000004
【図３】
2016033087.tif 000005
(57)【要約】      （修正有）【課題】外部からの通信回線の不正アクセス（ハッキング行為）をハードウェア的にアクセス出来ない様して攻撃に対処・対応する。【解決手段】ハードウェア的にハッキングをブロックしたり、不正アクセスをした相手のＩＰアドレスとアクセス回数をハッキングをした相手からこのデータを書き換えられない様に、外部回線からも回線のつながっているコンピューターからも読み出せない様に自動的に記録して、ハッキング行為者がＩＰアドレスを消したり、書き換え様とした場合にＩＰアドレスとアクセス回数を書き換えられない様にハードウェア的にメモリをロックする。【選択図】なし【特許請求の範囲】
【請求項１】
通信回線の不正アクセスのハードウェア的な対処方法
【発明の詳細な説明】
【技術分野】
【０００１】  この発明は、通信回線の不正アクセスに於ける、ハードウェア的な対処方法に関する。
【発明の概要】
【０００２】  この発明は、外部からの通信回線の不正アクセス（ハッキング行為）に対するハードウェア的な対処方法である。外部から不正アクセスをした、相手のＩＰアドレスとアクセス回数を不正アクセスをした相手からこのデータを書き換えられない様に、外部回線からも回線のつながっているコンピューターからも読み出せない様にハードウェア的に記録して、この不正アクセスを記録したデータを読み出すには、回線につながっていない別のコンピューターにメモリを接続して読み出し、プリンターでプリントアウトする。
【背景技術】
【０００３】  今までの外部からの通信回線の不正アクセス（ハッキング行為）はソフトウェア的であり、情報を発信するのはコンピューター内部からで、ハッキング行為に対しての対処方法はファイアーウォールやセキュリティーソフトのウイルス定義ファイルまでも作り、コンピューターへの侵入に対処していて、ソフトウェア的には限界に近く、ハッカー（クラッカー）とシステム管理者とのイタチごっこは未だに続いている。
【発明の開示】
【発明が解決しようとする課題】
【０００４】  外部からの通信回線の不正アクセス（ハッキング行為）はソフトウェア的であり、情報を発信するのはコンピューター内部からなので、コンピューター内部のファイルを読んだり、ソフトウェア的に情報発信をコンピューターから外部に通信回線を使って出来る様にして、外部からの不正アクセス（ハッキング行為）はハードウェア的に出来ない様にしてハッカー（クラッカー）からの攻撃に対処・対応する。
【課題を解決するための手段】
【０００５】  この為、この発明においては、外部からの通信回線の不正アクセス（ハッキング行為）の内、コンピューター内の情報を抜き出したり、書き換えたりした場合に、ハッキング行為をした本人自身のＩＰアドレスさえも消して証拠も残さずに悪質なハッキング行為をした場合には、ハードウェア的にハッキングをブロックしたり、不正アクセスをした相手のＩＰアドレスとアクセス回数をハッキングをした相手からこのデータを書き換えられない様に、外部回線からも回線のつながっているコンピューターからも読み出せない様に自動的に記録して、ハッキング行為者がＩＰアドレスを消したり、書き換え様とした場合にＩＰアドレスとアクセス回数を書き換えられない様にハードウェア的にメモリをロックする。そうすれば、情報流出の大小に関わらず、ハッキング行為をした相手のＩＰアドレスとアクセス回数が判り、しかも、それ以上書き換わる事は無い。この不正アクセスを記録したデータはＵＳＢやＳＤＨＣ等のＳＤ−ＲＡＭに書き込んで、システムのメンテナンス時等にメモリを交換して、このデータを読み出すには、回線につながっていない別のコンピューターにメモリを接続して読み出し、プリンターでプリントアウトしてＩＰアドレスと不正アクセスの回数を調べて、ＩＰアドレスからハッキング行為の相手を特定する。不正アクセス時にＬＥＤやブザーで表示・警告すれば尚良い。
【発明の効果】
【０００６】  この発明は、コンピューターのセキュリティーの強化とシステム管理者のメンテナンスの簡素化と悪質なハッキングに対するハッキング行為者の特定の高速化、及び、ハッカー（クラッカー）とシステム管理者とのイタチごっこに終止符を打つ物である。
(57)【要約】【課題】  筐体サイズを大きくせずにメンテナンス作業をする際に必要な作業スペースを拡張できる電子機器の筐体を提供する。【解決手段】  装置１を構成するいずれかの面の所定の部位に収納され、装置１から外部に引き出す引き出し部２と、前記引き出し部２をスライドさせるレール１１と、を有し、前記引き出し部２の装置１内部側の所定の部位にケーブル束４０を保持する結束バンド固定部３を設け、前記レール１１の所定の部位に前記引き出し部２を装置１に収容して保持するストッパー１２を設けることを特徴とする。【選択図】    図１
2016122707.tif 000002
【特許請求の範囲】
【請求項１】
機器の外観を形成する筐体において、
自筐体を構成するいずれかの面の所定の部位に収納され、自筐体から外部に引き出す引き出し部と、前記引き出し部をスライドさせるレール部と、を有し、
前記引き出し部の自筐体内部側の所定の部位にケーブル束を保持するケーブル束保持構造を設け、前記レール部の所定の部位に前記引き出し部を自筐体に収容して保持するストッパー構造を設けることを特徴とするケーブル束引き出し構造を有する筐体。
【発明の詳細な説明】
【技術分野】
【０００１】
本発明は、電話主装置や構内交換機等の多くのケーブル束を収容する筐体に関する。
【背景技術】
【０００２】
従来の電話主装置等のケーブル束に係るメンテナンスの作業性を向上する構造として、筐体底面に結束バンドにより結束されたケーブル束を装置内の所定の範囲に保持し、前記ケーブル束を結束している結束バンドを保持すると共に、前記結束バンドの動きを上下左右のいずれか１次元方向に誘導するレールを含む結束バンド保持構造を筐体の所定の箇所に形成する構造がある（例えば、特許文献１）。
【０００３】
しかしながら、特許文献１に記載されている構造におけるメンテナンス作業は、依然として筐体内部での作業なので、メンテナンスを行う際の作業スペースを確保するには筐体を大型化する必要があった。
【先行技術文献】
【特許文献】
【０００４】
【特許文献１】登録実用新案第３１８００３０号
【発明の概要】
【発明が解決しようとする課題】
【０００５】
上記の問題を解決するために、本発明は筐体サイズを大型化することなく、ケーブル束に係るメンテナンス作業がし易い電話主装置の筐体を提供することにある。
【課題を解決するための手段】
【０００６】
上記の課題を解決するために、本発明は、機器の外観を形成する筐体において、自筐体を構成するいずれかの面の所定の部位に収納され、自筐体から外部に引き出す引き出し部と、前記引き出し部をスライドさせるレール部と、を有し、前記引き出し部の自筐体内部側の所定の部位にケーブル束を保持するケーブル束保持構造を設け、前記レール部の所定の部位に前記引き出し部を自筐体に収容して保持するストッパー構造を設けることを特徴とする。
【発明の効果】
【０００７】
本発明によれば、ケーブル束を筐体外部に引き出して作業できるので、筐体を大型化することなく、ケーブル束に係るメンテナンス作業がし易い筐体を提供できる。
【図面の簡単な説明】
【０００８】
【図１】本発明の実施の一形態に係る引き出し部を取り付けた状態を示す斜視図
【図２】(a)図１のＡ−Ａ断面図、(b)図１のＢ−Ｂ断面図
【図３】(a)本発明の実施の一形態に係る引き出し部をおろした状態を示す斜視図、(b)可動部の詳細図
【図４】本発明の実施の一形態に係るカバーを取り付けた際に引き出し部をおろした状態を示す斜視図
【発明を実施するための形態】
【０００９】
以下に、図面を参照しながら、本発明の実施の一形態について説明する。
【００１０】
図１は、本発明の実施の一形態に係る引き出し部を取り付けた状態の斜視図を示す。１は装置、２は引き出し部、３は結束バンド固定部、４は結束バンド、４０はケーブル束であり、装置１に引き出し部２を取り付け、結束バンド固定部３に結束バンド４及び、ケーブル束４０を取り付けた状態である。
【００１１】
図２(a)は図１のＡ−Ａ断面図、(b)は図１のＢ−Ｂ断面図を示す。各図の１１は引き出し部を移動させるためのレール、１２は引き出し可動部のストッパー、１３は引き出し押さえ、２１は引き出し凸部である。
【００１２】
図１に示す筐体には図２のレール１１、ストッパー１２が設けてあり、レール１１に沿って引き出し部２に設けた凸部２１を移動させ、ストッパー１２により固定させる。引き出し押さえ１３は、引き出し部２が手前方向に回転するのを抑制している。また、図１の引き出し部２に設けたケーブル束固定部３は、結束バンド４０により結束されたケーブル束４０を装置内の所定の範囲に保持することが可能である。
【００１３】
図３(a)は、本発明の実施の一形態に係る引き出し部をレールの下限まで下げた状態の斜視図、(b)は可動部の詳細図を示す。装置１に設けたレール１１に沿って、引き出し部２をおろした状態である。
【００１４】
引き出し部２は一例として、手で引き出し部２を持ち、引いた場合に移動させることが可能である。工事作業者が引き出し部２を引っ張ることにより、引き出し凸部２１がレール１１に沿って、ストッパー１２を乗り越え、通過する。これにより、引き出し部２を上下移動させることが可能である。
【００１５】
図４は、本発明の実施の一形態に係るカバーを取り付けた際に引き出し部をおろした状態の斜視図を示す。３０はカバーであり、３１はカバーの凹部である。
【００１６】
引き出し部２は一例として、カバー３０を取り付けた場合にも移動させることが可能である。カバー３０を取り付けた状態において、カバー凹部３１に手を掛けることにより、レール１１に沿って引き出し部２を上下方向に移動させることが可能である。これにより、装置外においても作業することができる。
【符号の説明】
【００１７】
１    装置
２    引き出し部  
３    結束バンド固定部
４    結束バンド
１１  レール
１２  ストッパー
１３  引き出し押さえ
２１  引き出し凸部
３０  カバー
３１  カバー凹部
４０  ケーブル束
【図１】
2016122707.tif 000003
【図２】
2016122707.tif 000004
【図３】
2016122707.tif 000005
【図４】
2016122707.tif 000006
(57)【要約】【課題】平ゴムに粘着部があるのは、両端部のものが多かったので、他の解決方法を取り入れた。【解決手段】  平ゴムに、粘着部を明確にするためにガイドラインを導入し、粘着剤テープで貼る人が粘着部を選定できるようにした。【選択図】図１
2016069613.tif 000002
【特許請求の範囲】
【請求項１】
任意の長さの連続する平ゴムにガイドラインとなる線を表しその線上に八の字形に固着することを特徴とした粘着塗布方法。
【請求項２】
請求項１のガイドラインの線の表示を平ゴムの中央につけ、平ゴムの中央部に粘着テープを固着することを特徴とする塗布方法。
【発明の詳細な説明】
【技術分野】
【０００１】本発明は平ゴムに粘着剤を塗布する方法に関する。
【背景分野】
【０００２】従来の粘着方法では平ゴムに被せる表地が限定されていた。
【先行技術文献】
【０００３】
【特許文献１】特開２００６−２２３９８４号公報
【発明の概要】
【発明が解決しようとする課題】
【０００４】しかしながら、従来の粘着剤・固着状態を調べると平ゴムの両端に接着固着する法方があったが、幅広の平ゴムに両端だけ粘着剤を固着すると、平ゴムに被せた生地の中心部が浮き上がるようになるので、八の字形に接着固着すれば、中心部を押さえられるので平ゴムに生地を被せても安定する。図１、図２のようにガイド線に添って粘着固着する。生地によっては、平ゴムに中心部だけのラインのもあるので、そちらを選んでもよい。
【課題を解決するための手段】
【０００５】本発明は、任意の長さの連続する平ゴムにガイドラインとなる線を八の字形に又は中央部に一本表記したその線上に粘着固着する。粘着剤のテープは平ゴムに被せる表地の厚味に対して八の字にするか、中央部に一本にするか判断する。粘着塗布方法は粘着剤テープ上に剥離紙を被せておけば工業用だけでなく、手芸用としても活用が期待できる。
【発明の効果】
【０００６】本発明は、手芸用であれば平ゴムに塗布するときの目安としてガイドラインの線が表記されているので確実に粘着剤のテープを接着することができる。
【図面の簡単な説明】
【０００７】
【図１】本件発明のガイドラインの線が表示されたものである
【図２】粘着剤付のテープを実施中を示す図である
【図３】タスキ作成前
【図４】タスキの生地を曲げようとするとき
【発明を実施するための形態】
【実施例】
【０００８】      例えば、タスキなどを作成しようとするときは、タスキ用生地を広げその中央に接着剤を固着された平ゴムを置き、任意の生地の端末から平ゴムの粘着部の上へ生地をのせて押える。もう一方の端末も同じようにのせて押えると生地は粘着部に圧着しタスキ作成作業は終了する。このように本発明を使用することにより、ミシン縫製に頼ることなくタスキを作成することが可能となる粘着固着方法。
【符号の説明】
【０００８】１  平ゴム
２  ガイドライン
３  粘着部
４  生地
【図１】
2016069613.tif 000003
【図２】
2016069613.tif 000004
【図３】
2016069613.tif 000005
【図４】
2016069613.tif 000006
(57)【要約】      （修正有）【課題】特有の臭いが無く、安全で取り扱いが簡便で、一般的な汚れに対する効果が従来技術と同等以上の洗浄剤、特に漂白洗浄剤、水廻り用洗浄剤あるいはカビ取り用洗浄剤の提供。【解決手段】次亜塩素酸ナトリウム（６重量％以下）・水酸化ナトリウム（２重量％以下）及び界面活性剤（アルキルエーテル硫酸エステルナトリウム）を含有する洗浄剤組成物。硬質表面において、油性及び脂肪性汚れの存在下で泡の持続性を発揮する洗浄剤組成物。【選択図】図１
2016069614.tif 000002
【特許請求の範囲】
【請求項１】
次亜塩素酸ナトリウム（６ＷＴ％以下、０ＷＴ％を含まない）・水酸化ナトリウム｛２ＷＴ％以下、０ＷＴ％を含まない｝及び界面活性剤（アルチルエーテル硫酸エステルナトリウム）を含有することを特徴とするカビ取り用洗浄剤。
【請求項２】
表面を手で洗浄する方法において、表面を実質的に
次亜塩素酸ナトリウム（６ＷＴ％以下、０ＷＴ％を含まない）・水酸化ナトリウム｛２ＷＴ％以下、０ＷＴ％を含まない｝及び界面活性剤（アルチルエーテル硫酸エステルナトリウム）を含有することを特徴とする、上記方法。
【発明の詳細な説明】
【技術分野】
【０００１】  本発明は、液状洗剤調合物に関し、各種汚れの除去に好適に使用される洗浄剤組成物で、安全、簡便かつカビ取り効果があり、特に漂白洗浄剤、水廻り用洗浄剤及びカビ取り用洗浄剤として有用な洗浄剤組成物に関する。
【背景技術】
【０００２】  従来から、漂白やカビ取り用の洗浄剤としては、酸化能力を有する次亜塩素酸塩、特に次亜塩素酸ナトリウムを活性成分とした洗浄剤が最も多く使用されている。
表面、特に洗浄して、グリース、タンパク質、澱粉、ガム、染料、油および焼かれた有機残さを除かなければならない。洗剤製品は洗浄すべきこれらの硬質表面および製品を使用する人の皮膚の両方に接触する。【０００３】  表面、特に洗浄して、グリース、タンパク質、澱粉、ガム、染料、油および焼かれた有機残さを除かなければならない。洗剤製品は洗浄すべきこれらの硬質表面および製品を使用する人の皮膚の両方に接触する。
【先行技術文献】
【特許文献】
【０００４】
【特許文献１】実用新案登録第３０６６３２３号公報
【０００５】  従来は、例えば、特許公報１などが「水取扱用具接合部材としてのタイルの目地・シリコン樹脂の生息カビに対するカビ洗浄ゲル剤を，塗布しよい構造の容器に擁するカビ取り用洗浄剤を提供すること」を課題とした「カビ取り用洗浄剤」が提供されている。【０００６】  しかしながら、「次亜塩素塩含有漂白剤とゲル状・ゼリー状増粘剤に，安定剤を添加混合してカビ洗浄ゲル剤とし，容器頭部と連通する，柔軟性を有する容器本体内部に擁し，スポンジを先端部に嵌合した先端キャップを該容器頭部に設け，作業者が手動で該容器本体を押圧する事により，該カビ洗浄ゲル剤が該スポンジ先端部より，液垂れせずに浸み出し，タイル３等水取扱用具の接合部材上に該カビ洗浄ゲル剤を塗布し，該接合部材の表面或いは内部に増殖したカビを洗浄除去するカビ取り用洗浄剤を確保する。」ものである。【０００７】  従って、これらは、「浴槽・洗面台・台所・便所等の取付部材等に用いるタイル等を含む，住居内外に使用される水取扱用具各種部材の接合部材として用いるタイルの目地・シリコン樹脂に生息するカビに対し，高い殺傷能力・即効性を有するカビ洗浄ゲル剤を，塗布しよい構造の容器に擁し，片手で塗布操作し易しカビ取り用洗浄剤に関する。」と記載されているように片手で操作することを主目的としたものである。洗浄力発揮に関しては、実用にはなり得ていない。
【発明の概要】
【発明が解決しようとする課題】
【０００８】本発明の課題は、各種汚れの除去に好適に使用される洗浄剤組成物で、安全、簡便かつカビ取り効果があり、特に漂白洗浄剤、水廻り用洗浄剤及びカビ取り用洗浄剤として有用な洗浄剤組成物を提供することである。  さらに、硬水中でおよび油性および脂肪性汚れの存在下で改善された洗浄力を提供する液状の軽質洗剤を提供することである。【０００９】  また本発明は、特有の臭いが無く、安全で取り扱いが簡便で、しかも一般的な汚れに対する効果が従来技術と同等以上の洗浄剤、特に漂白洗浄剤、水廻り用洗浄剤あるいはカビ取り用洗浄剤として有用な洗浄剤組成物を提供することにある。
【課題を解決するための手段】
【００１０】  本発明は、次亜塩素酸ナトリウム（６ＷＴ％以下、０ＷＴ％を含まない）・水酸化ナトリウム｛２ＷＴ％以下、０ＷＴ％を含まない｝及び界面活性剤（アルチルエーテル硫酸エステルナトリウム）を含有するカビ取り用洗浄剤とした。【００１１】  本発明は、表面を手で洗浄する方法において、表面を実質的に次亜塩素酸ナトリウム（６ＷＴ％以下、０ＷＴ％を含まない）・水酸化ナトリウム｛２ＷＴ％以下、０ＷＴ％を含まない｝及び界面活性剤（アルチルエーテル硫酸エステルナトリウム）を含有することを特徴とする洗浄方法にした、
【発明の効果】
【００１２】  上記方法と以上に記述の構成にしたので、本発明の洗浄剤組成物は、通常の漂白洗浄剤、水廻り用洗浄剤或いはカビ取り用洗浄剤と同様に用いることができ、特に、優れた汚染物質の漂白洗浄効果やカビ取り効果を示す。
【図面の簡単な説明】
【００１３】
【図１】本発明の状態の図である。
【図２】本発明の表現ラベルの一例である。
【発明を実施するための最良の形態】
【００１４】  以下、本発明の実施例を図面に基づいて記述する。
【実施例１】
【００１５】  以下の実施例で本発明の液状の洗浄剤調合物を詳細に説明する。【００１６】  本発明の洗浄剤組成物の使用方法としては、トリガー付き容器からのスプレーによる塗布や刷毛による塗布が挙げられ、更に塗布後、乾燥放置して薄膜とする方法、水等により洗い流す方法による物理的な汚染物質除去が付加的に期待される洗い流す際にスポンジ等で軽くこする方法等が挙げられる。【００１７】  本発明の洗浄剤組成物は、台所、洗面所、浴室、トイレ、洗濯スペース等の家庭における水を扱う場所（以下、水廻りと呼ぶ）や、そこで使われている用具、例えば、ステンレスタブ、水道、洗面器、タイル、窓硝子等の洗浄に優れ、特にカビ取り用の洗浄剤組成物として優れている。
【産業上の利用可能性】
【００１８】  上記を要約すると、一般人でも判り易い泡立ち，泡切れ，スキンケア，仕上がり，におい，風合いで、ストレートに判断でき、限りないニーズに対応することも可能である。【００１９】  本発明のカビ取り用洗浄剤は，薄く塗布しておくだけでカビ防止効果をも有する。「スッキリと  カビ  トレール」と表現して、世に提供したいものであると言える。
利用可能性を要約すると、表１の「用途と使用要領」の通りとなる。
【表１】
2016069614.tif 000003
【図１】
2016069614.tif 000004
【図２】
2016069614.tif 000005
(57)【要約】【課題】紫外線や加齢その他の要因により皮膚に生じるしわの形成を防止・改善させる効果を有する材料を提供する。【解決手段】りんご幹細胞による皮膚幹細胞の活性化およびフコイダンによる保湿効果【選択図】なし【特許請求の範囲】
【請求項１】
りんご幹細胞とフコイダンを添加、炭酸ガスを利用したパック用化粧品
【発明の詳細な説明】
【技術分野】
【０００１】本発明は外的内的要因により生じる皮膚のしわや老化の改善を目的とする。
【背景技術】
【０００２】皮膚は、紫外線、乾燥、寒冷、熱、薬物等のさまざまな物理的及び化学的ストレスに日々さらされている。その結果、皮膚の機能低下が引き起こされ、さまざまな皮膚の老化現象が顕在化する。皮膚の老化現象の一つに、しわがある。しわには、表皮性のしわと、真皮性のしわの二種類が存在することが知られている。表皮性のしわは小じわと呼ばれ、皮膚の乾燥により、表皮角質層中の水分量が低下することによって一時的に生じるしわである。小じわの改善方法としては、保湿効果を有する化粧品や幹細胞による皮膚の再生を促進させる方法がある。
【先行技術文献】
【特許文献】
【０００３】
【特許文献１】
【特許文献２】
【非特許文献】
【０００４】
【非特許文献１】
【非特許文献２】
【発明の概要】
腐らないりんご「ウトピラー・スパトラウパー」の幹細胞を抽出して、皮膚の五層にまで浸透させ、肌の再生を行う商品。
【発明が解決しようとする課題】人間の肌の老化防止、抑制、皮膚幹細胞の延命及びトータルエイジングケア
【課題を解決するための手段】外的内的要因により弱った幹細胞を活性化させる商品。幹細胞が元気になると弱った細胞が活性化お呼び新細胞の増殖】
【発明の効果】肌の再生・若返り効果
(57)【要約】【課題】鼻炎で鼻がつまっている人が、脇のツボの刺激で鼻の通りがよくなるようにパットをつけた  鼻づまり解消ブラジャーと鼻づまり解消ランニングを提供する。【解決手段】ブラジャーとランニングの脇の部分の内側に丸いパット（１）を縫いつけた鼻づまり解消ブラジャーと鼻づまり解消ランニングを特徴とする。【選択図】図２
2016069779.tif 000002
【特許請求の範囲】
【請求項１】
ブラジャーとランニングの脇の部分に丸いパット（１）を縫いつけた鼻づまり解消ブラジャーと鼻づまり解消ランニング。
【発明の詳細な説明】
【技術分野】
【０００１】この発明はブラジャーとランニングの脇の部分にパットを付けその刺激により、鼻づまりを解消する鼻づまり解消ブラジャーとランニングに関するものである。
【背景技術】
【０００２】従来ブラジャーとランニングの脇の部分には何もついていません。
【先行技術分献】
【０００３】
【発明の概要】
【発明が解決しようとする課題】
【０００４】従来ブラジャーは胸を美しく見せる為のものであり、ランニングは汗を取る為のものである。
本発明は、従来の役目に鼻づまりを解消する効果を加えたものである。
【課題を解消するための手段】
【０００５】ブラジャーとランニングの脇の部分に丸いパット（１）を縫い付けたものである。
本発明は以上の構成よりなる鼻づまり解消ブラジャーとランニングである。
【発明の効果】
【０００６】アレルギー性鼻炎でいつも鼻がつまっていた私が１０秒間脇を押すと一時的に鼻づまりが解消するという情報を試したら、一時的に解消したのでずっと解消する方法はないかと考え発明しました。
試作品を半年以上使っていますが、鼻づまりはなく快適です。
【図面の簡単な説明】
【０００７】
【図１】  本発明の平面図である。
【図２】  本発明の斜視図である。
【発明を実施するための形態】
【０００８】以下、本発明を実施するための形態について説明する。
丸いパット（１）を作る。ブラジャーの脇の部分の内側にブラジャーの生地（２）でカバーして縫いつける。
ランニングの場合も、丸いパット（１）を脇の部分の内側にランニングの生地（３）でカバーして縫いつける。
本発明は以上のような構造である。
これを使用するときは、従来のブラジャーとランニングと同じように使用すればよい。
【符号の説明】
【０００９】１  丸いパット    直径約１．５ｃｍ厚さ約１ｃｍのやわらかいものである。
２  ブラジャーの生地    パットを目立たせないためのものである。
３  ランニングの生地    パットを目立たせないためのものである。
【図１】
2016069779.tif 000003
【図２】
2016069779.tif 000004
(57)【要約】【課題】      カットクロスの襟から、切った髪が首筋に入らないように、また、クロス襟を止めたエンド部分が、後ろ襟の表に出て作業の支障にならないように、カットクロスの表襟に取り付け角度を付けたマジックテープを設けたネープフィットカットクロスを提供する。【解決手段】  カットクロス（１）に、取付け角度を付けた（２）マジックテープ（２）を設け、内襟のマジックテープと表襟の角度を付けて取付けたマジックテープを、取付け角度に重ね合わせてとめ、首筋を隙間なく止めることが特徴の、ネープフィットカットクロスとする。【選択図】図１
2016069780.tif 000002
【特許請求の範囲】
【請求項１】
カットクロスの表襟（１）に、取付け角度を付けた（２）マジックテープ（３）を設けたネープフィットカットクロス。
【発明の詳細な説明】
【技術の分野】
【０００１】この発明は、カットクロスの表襟に取付け角度を付けたマジックテープを設けたネープフィットカットクロスに関するものである。
【背景技術】
【０００２】従来、カットクロスの表襟に取付け角度を付けたマジックテープはなく、カットクロスの襟形状に沿って平行に取り付けてあるだけだった。
【発明の開示】
【発明が解決しようとする課題】
【０００３】これは、次のような欠点があった。
従来、カットクロスをとめる場合は、内側と表側のカットクロスの襟形状に沿って平行に取付けてあるマジックテープを重ねて止めるだけであり、首とカットクロスに隙間が生じ、カットした髪が首筋に入りやすかった。また、カットクロスの重ねてとめたマジックテープのエンド部分が密着しにくく、髪をとかしたときにクロス襟が外れやすく、作業に支障があった。
本発明は、以上のような欠点をなくすためになされたものである。
【課題を解決するための手段】
【０００４】カットクロスの表襟（１）に、取り付け角度を付けた（２）マジックテープ（２）を設け、カットクロスの内側のマジックテープと、表側に重なる角度を付けたマジックテープの襟を、取り付け角度に合わせ首に沿うように重ね、首回りを隙間なくとめることができる
本発明は、以上の構成よりなるネープフィットカットクロスである。
【発明の効果】
【０００５】カットクロスの後ろ襟を隙間なくとめるため、カットされた髪が首筋に入らなくなり、お客様の不快感が解消される。また、クロス襟のエンド部分がうくことがなく、櫛やハサミの引っかかりがなく作業効率が上がる。
【発明を実施するための形態】
【０００６】以下、本発明を実施するための最良の形態について説明する。
カットクロスの表襟（１）に、取付け角度を付けた（２）マジックテープ（３）を設ける。
カットクロスの表襟（１）に、取付け角度を付けた（２）マジックテープ（２）設け、内側マジックテープと表側のマジックテープの取付け角度に合わせて重ねてとめる。
本発明は、以上のような構造である。
これを使用するときは、クロス内側の襟に、表襟の角度を付けたマジックテープを取付け角度に合わせ重ねてクロス襟を止める。お客様の首筋に隙間なくフィットし、カットされた髪が首筋に入らなくなる。また、とめたクロス襟のエンド部分がうかず、櫛やハサミの引っかかりがなく作業効率も上がる。
【図面の簡単な説明】
【０００７】
【図１】本発明の平面図である。
【図２】本発明の背面図である。
【符号の説明】
【０００８】１  カットクロスの表襟
２  取付け角度を付けた
３  マジックテープ
【図１】
2016069780.tif 000003
【図２】
2016069780.tif 000004
(57)【要約】【課題】防錆剤を容易に除去することができる防錆剤の除去方法を提供する。【解決手段】コンクリートを打設する際に用いる金属製の型枠１の表面１ａに付着した防錆剤２を除去する方法であって、前記付着した防錆剤２の表面にイソプロピルアルコールを塗布した後に、前記イソプロピルアルコールの揮発を抑制する揮発抑制部材４で、前記イソプロピルアルコールを塗布した部分を覆い、その後、所定の時間を経過後に、前記防錆剤２を取り除く。【選択図】  図１
2016069717.tif 000002
【特許請求の範囲】
【請求項１】
コンクリートを打設する際に用いる金属製の型枠の表面に付着した防錆剤を除去する方法であって、
前記付着した防錆剤の表面にイソプロピルアルコールを塗布した後に、
前記イソプロピルアルコールの揮発を抑制する揮発抑制部材で、前記イソプロピルアルコールを塗布した部分を覆い、
その後、所定の時間を経過後に、前記防錆剤を取り除くことを特徴とする防錆剤の除去方法。
【請求項２】
前記型枠は、プレキャストコンクリートを製造する際に用いるものであることを特徴とする請求項１記載の防錆剤の除去方法。
【発明の詳細な説明】
【技術分野】
【０００１】
本発明は、防錆剤の除去方法、より詳しくは、コンクリートを打設する際に用いる金属製の型枠の表面に付着した防錆剤の除去方法に関する。
【背景技術】
【０００２】
従来、プレキャストコンクリートなどのコンクリート部材を製造する際に用いる金属製の型枠を保管する際には、さびの発生等を防止するために、液状ゴム系剥離塗料であるスチレン−エチレン／ブチレン−スチレンブロック共重合体（株式会社トリスミ  商品名：シールピール＃７０００）を型枠のコンクリート打設側面に塗布している。
【０００３】
そして、前記型枠の使用時には、製造したコンクリート部材に防錆剤が付着しないように、防錆剤を除去してからコンクリートを打設してコンクリート部材の製造を行っている。
【発明の概要】
【発明が解決しようとする課題】
【０００４】
前記防錆剤であるスチレン−エチレン／ブチレン−スチレンブロック共重合体の除去方法としては、この防錆剤は一体に皮膜状になっているが、それを端部からめくり取ることが困難であることから、ケレンやかわすき等でそぎ落としたり、サンダー等で削り取って除去している。
【０００５】
しかし、この前記除去作業には時間がかかるという問題がある。また、防錆シンナーを使用した場合にも、再付着等が生じて、容易に綺麗に取り除くことができないという問題がある。
【０００６】
そこで、本発明は、前記防錆剤を容易に除去することができる防錆剤の除去方法を提供することを目的とするものである。
【課題を解決するための手段】
【０００７】
前記の課題を解決するために、請求項１記載の発明は、コンクリートを打設する際に用いる金属製の型枠の表面に付着した防錆剤を除去する方法であって、
前記付着した防錆剤の表面にイソプロピルアルコールを塗布した後に、
前記イソプロピルアルコールの揮発を抑制する揮発抑制部材で、前記イソプロピルアルコールを塗布した部分を覆い、
その後、所定の時間を経過後に、前記防錆剤を取り除くことを特徴とする防錆剤の除去方法である。
【０００８】
請求項２記載の発明は、請求項１記載の発明において、前記型枠は、プレキャストコンクリートを製造する際に用いるものであることを特徴とするものである。
【発明の効果】
【０００９】
本発明によれば、防錆剤の表面にイソプロピルアルコールを塗布した後に、
前記イソプロピルアルコールの揮発を抑制する揮発抑制部材で、前記イソプロピルアルコールを塗布した部分を覆い、
その後、所定の時間を経過後に、前記防錆剤を取り除くことにより、防錆剤を、容易に綺麗に除去することができ作業性を向上できる。
【図面の簡単な説明】
【００１０】
【図１】本発明の実施例に係る防錆剤の除去方法を説明するための図。
【発明を実施するための形態】
【００１１】
本発明を実施するための形態を、図に示す実施例に基づいて説明する。
【００１２】
プレキャストコンクリート等のコンクリート部材を製造する際に用いる金属製の型枠１は、不使用時には、図１（ａ）に示すように、コンクリートを打設する面１ａ全体に亘って、アクリル樹脂系エマルジョン、液状ゴム系剥離塗料、有機溶剤系などの防錆剤２を塗布した後に保管される。本実施例では、防錆剤２として、液状ゴム系剥離塗料であるスチレン−エチレン／ブチレン−スチレンブロック共重合体（株式会社トリスミ  商品名：シールピール＃７０００）を用いた。
【００１３】
前記の型枠を用いて、プレキャストコンクリート等のコンクリート部材を製造する際には、前記防錆剤２を除去した後に使用する。この防錆剤２の除去方法について説明する。
【００１４】
型枠１の保管中は、図１（ａ）に示すように、金属製の型枠１の表面１ａ全体に亘って防錆剤２が塗布され、この防錆剤は固化し、皮膜状に形成されている。
【００１５】
先ず、図１（ｂ）に示すように、濃度５０〜９９％（ｗ／ｗ）のイソプロピルアルコール（ＣＨ３ＣＨ（ＯＨ）ＣＨ３）を、ローラ３、刷毛、スプレー等の任意の塗布手段により、防錆剤２の表面全体に亘って塗布する。
【００１６】
次に、図１（ｃ）に示すように、イソプロピルアルコールの揮発を抑制するビニールシートやラップ等の揮発抑制部材４で、イソプロピルアルコールを塗布した部分、本実施例においては、型枠１の表面１ａ全体を覆って養生し、所定時間、本実施例では３〜６時間放置する。
【００１７】
次に、図１（ｄ）に示すように、防錆剤２が劣化していることを確認した後に、ケレン６やかわすき等の除去治具を用いて、劣化した防錆剤を取り除く。前記の作業により防錆剤を容易にきれいに除去した図１（ｅ）に示すような型枠１にすることができる。なお、防錆剤が劣化していなかった場合には、再度揮発抑制部材４で覆って養生を行い、その後、前記と同様の除去作業により防錆剤を取り除く。
【００１８】
このように、前記従来技術の方法と比較して、容易に防錆材２を除去することができるため、作業性を向上させることができる。
【符号の説明】
【００１９】
１  型枠
２  防錆剤
４  揮発抑制部材
【図１】
2016069717.tif 000003
(57)【要約】【課題】  市販されているアームカバーを使用していると、上腕部側からずれ落ちてきてしまい、そのずれ落ちた空間への紫外線の照射を防ぐことができなかった。また、長期間使用していると、生地が劣化し伸びてしまい、よりずれ落ちる現象が起こってしまうことになってしまう。【解決手段】上腕部から手の甲部までを覆う筒状のアームカバーであり、上腕部側に収納部を設け、前記収納部に補強材を収納したことを特徴とするアームカバー。【選択図】図１
2016069781.tif 000002
【特許請求の範囲】
【請求項１】
上腕部から手の甲部までを覆う筒状のアームカバーであり、上腕部側に収納部を設け、前記収納部に補強材を収納したことを特徴とするアームカバー。
【請求項２】
収納部の深さが上腕部端部より本体の約１／４から約１／３であることを特徴とする請求項２記載のアームカバー。
【発明の詳細な説明】
【技術分野】
【０００１】  本発明は、太陽光からの紫外線による日焼けを防止するために着用する日焼け防止用のアームカバーに関するものである。
【背景技術】
【０００２】  従来、紫外線対策として使用者の上腕部から手の甲まで覆うアームカバーが知られている。なお、使用者の腕の動きに合わせて自在に伸縮することができ、もって、着用位置がずれてしまうことを防止することができ、さらには、使用者が腕に汗をかいても使用者の腕に密着することがない腕カバー（特許文献１）や、上端の上膊固定部分の一部に、周方向に一定の間隔を介して相互に接着・剥離が自在な一対の面ファスナーを袋状の上膊固定部分の周方向に接着位置調整自在に取り付ける考案が知られている（特許文献２参照）。
【先行技術文献】
【特許文献】
【０００３】
【特許文献１】  特開２００２−２２７０１２号公報
【特許文献２】  実用新案登録３１６１１２０号公報
【発明の概要】
【発明が解決しようとする課題】
【０００４】  しかしながら、市販されているアームカバーを使用していると、上腕部側からずれ落ちてきてしまい、そのずれ落ちた空間への紫外線の照射を防ぐことができなかった。また、長期間使用していると、生地が劣化し伸びてしまい、よりずれ落ちる現象が起こってしまうことになってしまう。また、特許文献１では挟み具により衣類と連結させるが、これでは、衣類に挟み具の跡が残ったり、衣類が伸びてしまったりする恐れがある。特許文献２では、面ファスナーによりずれを防止するが、これでは、身体への締め付けにより体に負荷がかかってしまい、長時間の装着が困難である。
【課題を解決するための手段】
【０００５】  上腕部から手の甲部までを覆う筒状のアームカバーであり、上腕部側に収納部を設け、前記収納部に補強材を収納したことを特徴とするアームカバー。
【発明の効果】
【０００６】  補強材により、上腕部側をずれ落ちにくくしているため、洗濯による劣化にも影響されること無く、常に上腕部を覆うことができるようになる。
【図面の簡単な説明】
【０００７】
【図１】  本発明の斜視図である
【図２】  補強材の斜視図である
【図３】  本発明の実施状態の斜視図である
【図４】  本発明の実施状態における断面図である
【図５】  （ａ）閉鎖式収納部の詳細を示す正面図である  （ｂ）開口式収納部の詳細を示す正面図である
【図６】  （ａ）閉鎖式収納部の詳細を示す断面図である  （ｂ）開口式収納部の詳細を示す断面図である
【発明を実施するための形態】
【０００８】  図１は本発明を表した斜視図である。使用者の上腕部１２から手甲部１１までを覆う筒状のアームカバーであり、上腕部側に収納部を設け、前記収納部に補強材３を収納する。図１の手甲部は開口した状態となっているが、図３に示すような、親指を出すための穴を設けた構造も含まれている。
【０００９】  図２は収納部に収納する補強材を示す図である。補強材３は薄板状で、可撓性素材からなっている。形状は、長方形状または、台形状が好ましく、その角は丸く面取りが施されている。
【００１０】  図３は本発明を実施した状態を示す斜視図である。この場合、収納部２はアームカバー本体１０へ腕を挿入する方向と平行に設けており、その深さは、上腕部１２端部より本体１０の約１／４から約１／３の長さとしている。つまり、装着時、使用者の肘辺りまで達していることが好ましい。
【００１１】  図５および図６は収納部の詳細を示す正面図と断面図である。この場合、図５（ａ）に示すのは、補強材を収納部に閉鎖した状態を示している。つまり補強材３はアームカバーより挿抜不可能な状態にしている。
【００１２】  一方図５（ｂ）に示すのは、補強材３を収納部２より挿抜可能な状態にしている。収納部２の上側は開口部２１で開口した状態で、その開口部２１を覆うような被覆部２２を設けることにより、補強材を取り出すことができ、使用時、補強材が抜け出すことを防ぐことを可能としている。
本発明は以上のような構成である。
【００１３】  本発明を使用するときは、収納部側が使用者の上腕の裏側、すなわち上腕三頭筋に来るよう装着する。補強材があるため、上腕部端部がずれ落ちることなく使用できる。また、腕への締め付けも無いため、長時間使用することを可能とする。
【符号の説明】
【００１４】１０  本体、１１  手甲部、１２  上腕部、２  収納部、２１  開口部、２２  被覆部、３  補強材
【図１】
2016069781.tif 000003
【図２】
2016069781.tif 000004
【図３】
2016069781.tif 000005
【図４】
2016069781.tif 000006
【図５】
2016069781.tif 000007
【図６】
2016069781.tif 000008
(57)【要約】【課題】  本発明は、手を美しく見せるストッキング製婦人用手袋を提供する。【解決手段】  ナイロン製のストッキング生地の手袋（１）を用い、手袋（１）に指先（２）を設け、各指の部分は、指の付け根より約１ｃｍとし、手袋（１）にはめ口（３）を設け、手首より約６〜７ｃｍの長さにしたことを特徴とするストッキング製婦人用手袋。【選択図】図１
2016069782.tif 000002
【特許請求の範囲】
【請求項１】
ナイロン製のストッキング生地の手袋（１）を用い、手袋（１）に指先（２）を設け、各指の部分は、指の付け根より約１ｃｍとし、手袋（１）にはめ口（３）を設け、手首より約６〜７ｃｍの長さにしたことを特徴とするストッキング製婦人用手袋。
【発明の詳細な説明】
【技術分野】
【０００１】  本発明は、手を美しく見せるストッキング製婦人用手袋に関するものである。
【背景技術】
【０００２】  従来の手袋は、防寒用、台所用のゴム手袋が一般的であった。
【先行技術文献】
【０００３】
【特許文献１】  実用新案登録３０８２５８号公報
【発明の概要】
【発明が解決しようとする課題】
【０００４】  高齢者の手は、シワ、シミ、血管が目立ち、人の目が気になる。
また、それらを隠すためにファンデーションを塗るなど、多くの人が工夫しているが効果的な解決には至らなかった。
本発明は、これらの問題を解決するためになされたものである。
【課題を解決するための手段】
【０００５】  ナイロン製のストッキング生地の手袋（１）を用い、手袋（１）に指先（２）を設け、各指の部分は、指の付け根より約１ｃｍとし、手袋（１）にはめ口（３）を設け、手首より約６〜７ｃｍの長さにしたことを特徴とするストッキング製婦人用手袋。
【発明の効果】
【０００６】  ストッキング素材により、装着していることが目立たず、かつ、隠したいシワ、シミ、血管が目立たなくなる。
指先が開放さあれているので、指先の自由度が高く、携帯電話の操作、買い物の支払いはめたままの食事も可能となる。
はめ口を手首より約６〜７ｃｍと短くすることで、容易な着脱を可能にする。
【図面の簡単な説明】
【０００７】
【図１】  本発明の全体図である。
【発明を実施するための形態】
【０００８】  以下、本発明の実施の形態について説明する。
ナイロン製のストッキング生地の手袋（１）を用い、手袋（１）に指先（２）を設け、各指の部分は、指の付け根より約１ｃｍとし、手袋（１）にはめ口（３）を設け、手首より約６〜７ｃｍの長さにしたことを特徴とするストッキング製婦人用手袋。
本発明は以上のような構成であり、本実施の形態によれば、手を美しく見せる効果が得られる。
【符号の説明】
【０００９】１  ストッキング生地の手袋
２  指先
３  はめ口
【図１】
2016069782.tif 000003
(57)【要約】      （修正有）【課題】祝儀袋は香りを塗布するための紙の量が少ない上に商品開封後、先様に渡すまでの時間が不特定であって、その時間が長い場合であっても香りが消滅してしまうことのない香り付き祝儀袋を提供する。【解決手段】香り付きシート３を密閉袋２に入れ、該密閉袋と祝儀袋を包装ポリ袋６に同封し、使用時に該密閉袋を開封して該香り付きシートを取り出し、該祝儀袋の中に紙幣と同封する。【選択図】図１
2016088617.tif 000002
【特許請求の範囲】
【請求項１】
香り付きシートを密閉袋に入れ、該密閉袋と祝儀袋を包装ポリ袋に同封し、使用時に該密閉袋を開封して該香り付きシートを取り出し、該祝儀袋の中に紙幣と同封することを特徴とする香る祝儀袋。
【請求項２】
装飾用香り付きシールを密閉袋に入れ、該密閉袋と祝儀袋を包装ポリ袋に同封し、使用時に該密閉袋を開封して該装飾用香り付きシールを取り出し、該祝儀袋に貼ることを特徴とする香る祝儀袋。
【発明の詳細な説明】
【技術分野】
【０００１】使用時に香る祝儀袋に関する。
【背景技術】
【０００２】香り付きの紙製品には、トイレットペーペーやティッシュペーパー等があるが、祝儀袋には例がない。
【先行技術文献】
【特許文献】
【特許文献】特開２０１４−１９８５９３
【発明の概要】
【発明が解決しようとする課題】
【０００３】なぜなら祝儀袋は前記商品と比べ、香りを塗布するための紙の量が少ない上に商品開封後、先様に渡すまでの時間が不特定であるからその時間が長い場合には香りが消滅してしまうからである。
【課題を解決するための手段】
【０００４】以下の２案で実現する。
香り付きシートを密閉袋に入れ、該密閉袋と祝儀袋を包装ポリ袋に同封し、使用時に該密閉袋を開封して該香り付きシートを取り出し、該祝儀袋の中に紙幣と同封することを特徴とする香る祝儀袋で実現する。【０００５】装飾用香り付きシールを密閉袋に入れ、該密閉袋と祝儀袋を包装ポリ袋に同封し、使用時に該密閉袋を開封して該装飾用香り付きシールを取り出し、該祝儀袋に貼ることを特徴とする香る祝儀袋で実現する。
【発明の効果】
【０００６】上記の２案で香りが消滅しない祝儀袋となる。
【図面の簡単な説明】
【０００７】
【図１】香り付きシートが同封された祝儀袋
【図２】装飾用香り付きシールが同封された祝儀袋
【発明を実施するための形態】
【０００８】本実施例を図１、図２を用いて説明する。
【０００９】図１は、香り付きシート３を密閉袋２に封入し、祝儀袋１と共に包装ポリ袋６に同封する。使用者は、包装ポリ袋６から祝儀袋１と香り付きシート３が封入された密閉袋２を取り出し、密閉袋２を開封して、香り付きシート３を取り出し、紙幣と一緒に祝儀袋１に同封する。
この方法により、香り付きシート３の香りは、先様に渡す時に香りを保持することができる。
【００１０】図２は、装飾用香り付きシール４を密閉袋２に封入し、祝儀袋１と共に包装ポリ袋６に同封する。使用者は、包装ポリ袋６から祝儀袋１と装飾用香り付きシール４が封入された密閉袋２を取り出し、密閉袋２を開封して、装飾用香り付きシール４を取り出し、祝儀袋１に貼る。
この方法により、装飾用香り付きシール４を祝儀袋１に貼った祝儀袋５の香りは、先様に渡す時に香りを保持することができる。
【符号の説明】
【００１１】１    祝儀袋
２    密閉袋
３    香り付きシート
４    装飾用香り付きシール
５    装飾用香り付きシールを貼った祝儀袋
６    包装ポリ袋
【図１】
2016088617.tif 000003
【図２】
2016088617.tif 000004